【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
ネットワーク化された様々なリソースからセッションボーダーゲートウェイの信号伝達部のためにリソースブロックを取得する段階と、ここで、前記リソースブロックはプールに統合されており、統一ビューが前記セッションボーダーゲートウェイの信号伝達部と通信するアプリケーションおよびサービスに提示され、
前記セッションボーダーゲートウェイの信号伝達部により、仮想プライベートネットワークリンクを介した指令を用いて前記セッションボーダーゲートウェイの媒体部からのリソース割り当てを制御する段階と、
前記ネットワーク化された様々なリソースから前記セッションボーダーゲートウェイの媒体部のためにリソースブロックを取得する段階と、ここで、前記リソースブロックはプールに統合されており、統一ビューが前記セッションボーダーゲートウェイの信号伝達部に提示され、
所定期間前記アプリケーションおよびサービス用の前記リソースブロックを使用する段階と、
を有する方法。
【請求項２】
前記期間は、数秒から数十または数百時間である請求項１に記載の方法。
【請求項３】
前記セッションボーダーゲートウェイは、分散され統合されていない請求項１または請求項２に記載の方法。
【請求項４】
前記仮想プライベートネットワークリンクは、標準化されたプロファイルを用いてオープンプロトコルを作動する、請求項１〜３のいずれか一項に記載の方法。
【請求項５】
前記リソースブロックは、オープンアプリケーションおよびリソースプログラミングインタフェースを介して、公共、プライベートまたは地域ネットワークから取得される、請求項１〜４のいずれか一項に記載の方法。
【請求項６】
ネットワーク化された様々なリソースからのリソースブロックを含むセッションボーダーゲートウェイの信号伝達部と、ここで、前記リソースブロックはプールに統合されており、統一ビューが前記セッションボーダーゲートウェイの信号伝達部と通信するアプリケーションおよびサービスに提示され、
前記ネットワーク化された様々なリソースからのリソースブロックを含む前記セッションボーダーゲートウェイの媒体部と、を有し、ここで、前記リソースブロックはプールに統合されており、統一ビューが前記セッションボーダーゲートウェイの信号伝達部に提示され、
前記セッションボーダーゲートウェイの信号伝達部は、仮想プライベートネットワークリンクを介した指令を用いて前記セッションボーダーゲートウェイの媒体部からのリソース割り当てを制御するようにさらに構成され、
前記アプリケーションおよびサービス用の前記リソースブロックは、所定期間使用されるように構成される装置。
【請求項７】
前記期間は、数秒から数十または数百時間である請求項６に記載の装置。
【請求項８】
前記セッションボーダーゲートウェイは、分散され統合されていない請求項６または請求項７に記載の装置。
【請求項９】
前記仮想プライベートネットワークリンクは、標準化されたプロファイルを用いてオープンプロトコルを作動する、請求項６〜８のいずれか一項に記載の装置。
【請求項１０】
前記リソースブロックは、オープンアプリケーションおよびリソースプログラミングインタフェースを介して、公共、プライベートまたは地域ネットワークから取得される、請求項６〜９のいずれか一項に記載の装置。
【請求項１１】
ネットワーク化された様々なリソースからセッションボーダーゲートウェイの信号伝達部のためにリソースブロックを取得する手段と、ここで、前記リソースブロックはプールに統合されており、統一ビューが前記セッションボーダーゲートウェイの信号伝達部と通信するアプリケーションおよびサービスに提示され、
前記セッションボーダーゲートウェイの媒体部からのリソース割り当てを制御する手段と、
前記ネットワーク化された様々なリソースから前記セッションボーダーゲートウェイの媒体部のためにリソースブロックを取得する手段と、ここで、前記リソースブロックはプールに統合されており、統一ビューが前記セッションボーダーゲートウェイの信号伝達部に提示され、
所定期間前記アプリケーションおよびサービス用の前記リソースブロックを使用する手段と、
を有するシステム。
【請求項１２】
前記期間は、数秒から数十または数百時間である請求項１１に記載のシステム。
【請求項１３】
前記セッションボーダーゲートウェイは、分散され統合されていない請求項１１または請求項１２に記載のシステム。
【請求項１４】
前記仮想プライベートネットワークリンクは、標準化されたプロファイルを用いてオープンプロトコルを作動する、請求項１１〜１３のいずれか一項に記載のシステム。
【請求項１５】
前記リソースブロックは、オープンアプリケーションおよびリソースプログラミングインタフェースを介して、公共、プライベートまたは地域ネットワークから取得される、請求項１１〜１４のいずれか一項に記載のシステム。
【請求項１６】
ネットワーク化された様々なリソースからセッションボーダーゲートウェイの信号伝達部のためにリソースブロックを取得する指示と、ここで、前記リソースブロックはプールに統合されており、統一ビューが前記セッションボーダーゲートウェイの信号伝達部と通信するアプリケーションおよびサービスに提示され、
前記セッションボーダーゲートウェイの信号伝達部により、仮想プライベートネットワークリンクを介した指令を用いて、前記セッションボーダーゲートウェイの媒体部からのリソース割り当てを制御する指示と、
前記ネットワーク化された様々なリソースから前記セッションボーダーゲートウェイの媒体部のためにリソースブロックを取得する指示と、ここで、前記リソースブロックはプールに統合されており、統一ビューが前記セッションボーダーゲートウェイの信号伝達部に提示され、
所定期間前記アプリケーションおよびサービス用の前記リソースブロックを使用する指示と、
を有する指示が格納されたコンピュータ読み取り可能な媒体を含む製品。
【請求項１７】
前記期間は、数秒から数十または数百時間である請求項１６に記載の製品。
【請求項１８】
前記セッションボーダーゲートウェイは、分散され統合されていない請求項１６または請求項１７に記載の製品。
【請求項１９】
前記仮想プライベートネットワークリンクは、標準化されたプロファイルを用いてオープンプロトコルを作動する、請求項１６〜１８のいずれか一項に記載の製品。
【請求項２０】
前記リソースブロックは、オープンアプリケーションおよびリソースプログラミングインタフェースを介して、公共、プライベートまたは地域ネットワークから取得される、請求項１６〜１９のいずれか一項に記載の製品。
【手続補正２】
【補正対象書類名】明細書
【補正対象項目名】０００８
【補正方法】変更
【補正の内容】
【０００８】
一側面では、様々なネットワーク化されたリソースからセッションボーダーゲートウェイの信号伝達部のためにリソースブロックを取得し；ここで、リソースブロックはプールに統合され、統一ビューがセッションボーダーゲートウェイの信号伝達部と通信するアプリケーションおよびサービスに提示され；仮想プライベートネットワークリンクを介した指令によりセッションボーダーゲートウェイの媒体部からのリソース割り当てを制御し；様々なネットワーク化されたリソースからのセッションボーダーゲートウェイの媒体部のためにリソースブロックを取得し、ここで、リソースブロックは、プールに統合され、統一ビューがセッションボーダーゲートウェイの信号伝達部に提示され；および、所定期間にわたってアプリケーションおよびサービスのためにリソースブロックを使用する、ことを含む方法が提供される。所定期間は、数秒から数十または数百時間にわたりうる。
【手続補正３】
【補正対象書類名】明細書
【補正対象項目名】００１１
【補正方法】変更
【補正の内容】
【００１１】
その他の側面では、様々なネットワークリソースからのリソースブロックを含むセッションボーダーゲートウェイの信号伝達部と、ここで、リソースブロックはプールに統合されており、統一ビューがセッションボーダーゲートウェイの信号伝達部と通信するアプリケーションおよびサービスに提示され；セッションボーダーゲートウェイの媒体部は、様々なネットワーク化されたリソースからのリソースブロックを含み、リソースブロックはプールに統合され、統一ビューはセッションボーダーゲートウェイの信号伝達部に提示され；セッションボーダーゲートウェイの信号伝達部は、仮想プライベートネットワークリンクを介した指令を用いて前記セッションボーダーゲートウェイの媒体部からのリソース割り当てを制御するように構成され；ここで、アプリケーションおよびサービス用のリソースブロックは、所定期間使用されるように構成される。当該期間は、たとえば、数秒から数十または数百時間にわたりうる。
【手続補正４】
【補正対象書類名】明細書
【補正対象項目名】００１４
【補正方法】変更
【補正の内容】
【００１４】
その他の側面では、ネットワーク化された様々なリソースからセッションボーダーゲートウェイの信号伝達部のためにリソースブロックを取得する手段と、ここで、前記リソースブロックはプールに統合されており、統一ビューが前記セッションボーダーゲートウェイの信号伝達部と通信するアプリケーションおよびサービスに提示され、前記セッションボーダーゲートウェイの媒体部からの前記リソースの割り当てを制御する手段と、前記ネットワーク化された様々なリソースからセッションボーダーゲートウェイの媒体部のためにリソースブロックを取得する手段と、ここで、前記リソースブロックはプールに統合されており、統一ビューが前記セッションボーダーゲートウェイの信号伝達部に提示され、所定期間前記アプリケーションおよびサービス用のリソースブロックを使用する手段と、を有するシステムが提供される。前記期間は、数秒から数十または数百時間にわたりうる。